(57)【要約】  本発明は通信方法およびデバイスを開示する。当該方法は、第１ユーザープレーン機能（Ｕｓｅｒ−Ｐｌａｎｅ Ｆｕｎｃｔｉｏｎ，ＵＰＦ）ネットワーク要素は、セカンダリ無線アクセスネットワーク（ＲＡＮ）ネットワーク要素へのセカンダリユーザープレーンチャネルを確立するステップと、前記第１ＵＰＦネットワーク要素は、ネットワークを介してダウンリンクデータを受信し、オフロードされようとするデータストリーム情報に基づいて、オフロードする必要があるダウンリンクデータを、前記セカンダリユーザープレーンチャネルに送信するステップを備え、前記オフロードされようとするデータストリーム情報は前記第１ＵＰＦネットワーク要素に格納されている。こうして、５Ｇシステムでデータをオフロードし、それにより無線リソースの利用率を改善し、システムハンドオーバー遅延を短縮し、ユーザーの経験とシステム性能を改善する。
2020516135.tif 000002
【特許請求の範囲】
【請求項１】
第１ユーザープレーン機能（Ｕｓｅｒ−Ｐｌａｎｅ Ｆｕｎｃｔｉｏｎ，ＵＰＦ）ネットワーク要素は、セカンダリ無線アクセスネットワーク（ＲＡＮ）ネットワーク要素へのセカンダリユーザープレーンチャネルを確立するステップと、
前記第１ＵＰＦネットワーク要素は、ネットワークを介してダウンリンクデータを受信し、オフロードされようとするデータストリーム情報に基づいて、オフロードする必要があるダウンリンクデータを、前記セカンダリユーザープレーンチャネルに送信するステップとを備え、
前記オフロードされようとするデータストリーム情報は前記第１ＵＰＦネットワーク要素に格納されていることを特徴とする通信方法。
【請求項２】
前記第１ＵＰＦネットワーク要素は、パケットデータユニット（ＰＤＵ）セッション接続の唯一のＵＰＦネットワーク要素であり、
前記第１ＵＰＦネットワーク要素が、セカンダリ無線アクセスネットワーク（ＲＡＮ）ネットワーク要素へのセカンダリユーザープレーンチャネルを確立する前、
前記第１ＵＰＦネットワーク要素は、セッション管理機能（ＳＭＦ）ネットワーク要素によって送信されたユーザープレーンチャネルを確立するための第１要求メッセージを受信し、前記第１要求メッセージには、第１セカンダリユーザープレーンチャネルの情報およびオフロードされようとするデータストリーム情報が含まれ、前記第１セカンダリユーザープレーンチャネルは、前記第１ＵＰＦネットワーク要素から前記セカンダリＲＡＮネットワーク要素へのユーザープレーンチャネルであり、
前記第１ＵＰＦネットワーク要素がセカンダリＲＡＮネットワーク要素へのセカンダリユーザープレーンチャネルを確立する場合、
前記第１ＵＰＦネットワーク要素は、前記第１セカンダリユーザープレーンチャネルの情報に基づいて、前記第１ＵＰＦネットワーク要素から前記セカンダリＲＡＮネットワーク要素へのセカンダリユーザープレーンチャネルを確立することを特徴とする請求項１に記載の通信方法。
【請求項３】
前記第１ＵＰＦネットワーク要素は、ＰＤＵセッション接続のＩＰアンカーデバイスであり、前記ＰＤＵセッション接続には第２ＵＰＦネットワーク要素がさらに含まれ、前記第２ＵＰＦネットワーク要素は、前記ＰＤＵセッション接続のユーザープレーンアンカーデバイスであり、
前記方法では、
前記第２ＵＰＦネットワーク要素は、ＳＭＦネットワーク要素からのユーザープレーンチャネルを確立するための第２要求メッセージを受信し、前記第２要求メッセージには、第２セカンダリユーザープレーンチャネルの情報および前記オフロードされようとするデータストリーム情報が含まれ、前記第２セカンダリユーザープレーンチャネルは、前記第１ＵＰＦネットワーク要素から前記第２ＵＰＦネットワーク要素へのユーザープレーンチャネルであり、
前記第２ＵＰＦネットワーク要素は、前記第２セカンダリユーザープレーンチャネルの情報に基づいて、前記第１ＵＰＦネットワーク要素から前記第２ＵＰＦネットワーク要素へのセカンダリユーザープレーンチャネルを確立することを特徴とする請求項１に記載の通信方法。
【請求項４】
前記第１ＵＰＦネットワーク要素がセカンダリＲＡＮネットワーク要素へのセカンダリユーザープレーンチャネルを確立した後、
前記第１ＵＰＦネットワーク要素は、前記ＳＭＦネットワーク要素に要求応答メッセージを送信することを特徴とする請求項２または請求項３に記載の通信方法。
【請求項５】
前記オフロードされようとするデータストリーム情報は、ストリーム識別子、サービスの品質（ＱｏＳ）情報およびネットワークプロトコル（ＩＰ）５つの情報のうちの少なくとも１つを含むことを特徴とする請求項１から請求項３のいずれか１項に記載の通信方法。
【請求項６】
セッション管理機能（ＳＭＦ）ネットワーク要素は、プライマリ無線アクセスネットワーク（ＲＡＮ）ネットワーク要素によって送信されたユーザープレーンチャネルを確立するための要求メッセージを受信するステップであって、前記要求メッセージにはセカンダリＲＡＮネットワーク要素のチャネル識別子が含まれる前記受信するステップと、
前記ＳＭＦネットワーク要素は、ユーザープレーン機能（Ｕｓｅｒ−Ｐｌａｎｅ Ｆｕｎｃｔｉｏｎ，ＵＰＦ）ネットワーク要素グループ内の第１ＵＰＦネットワーク要素および第２ＵＰＦネットワーク要素それぞれに前記要求メッセージを送信し、前記第１ＵＰＦネットワーク要素および前記第２ＵＰＦネットワーク要素によって送信された要求応答メッセージを受信するステップであって、前記第１ＵＰＦネットワーク要素によって送信された要求応答メッセージには、前記第１ＵＰＦネットワーク要素と前記セカンダリＲＡＮネットワーク要素の間に確立されたセカンダリユーザープレーンチャネルのチャネル情報が含まれ、前記第２ＵＰＦネットワーク要素によって送信された要求メッセージメッセージには、前記第２ＵＰＦネットワーク要素と前記第１ＵＰＦネットワーク要素の間に確立されたセカンダリユーザープレーンチャネルのチャネル情報が含まれる前記受信するステップと、
前記ＳＭＦネットワーク要素は、前記プライマリＲＡＮネットワーク要素に要求応答メッセージを送信するステップとを備えることを特徴とする通信方法。
【請求項７】
前記第１ＵＰＦネットワーク要素は、パケットデータユニット（ＰＤＵ）セッション接続のＩＰアンカーデバイスであり、前記第２ＵＰＦネットワーク要素は、前記ＰＤＵセッション接続のユーザープレーンアンカーデバイスであることを特徴とする請求項６に記載の通信方法。
【請求項８】
プライマリ無線アクセスネットワーク（ＲＡＮ）ネットワーク要素は、ユーザープレーンチャネルを確立するために、セッション管理機能（ＳＭＦ）ネットワーク要素に、要求メッセージを送信し、前記要求メッセージには、セカンダリＲＡＮネットワーク要素のチャネル情報が含まれ、
前記プライマリＲＡＮネットワーク要素は、前記ＳＭＦネットワーク要素によって送信された要求応答メッセージを受信し、前記要求応答メッセージには、ＵＰＦネットワーク要素グループ内の第１ＵＰＦネットワーク要素と前記セカンダリＲＡＮネットワーク要素の間に確立されたセカンダリユーザープレーンチャネルのチャネル情報が含まれ、前記第１ＵＰＦネットワーク要素は、パケットデータユニット（ＰＤＵ）セッション接続のＩＰアンカーデバイスであり、
前記プライマリＲＡＮネットワーク要素は、セカンダリＲＡＮネットワーク要素に要求応答メッセージを送信することを特徴とする通信方法。
【請求項９】
前記要求応答メッセージは、前記第１ＵＰＦネットワーク要素と前記セカンダリＲＡＮネットワーク要素の間に確立されたユーザープレーンチャネルのチャネル情報を含むことを特徴とする請求項８に記載の通信方法。
【請求項１０】
セカンダリ無線アクセスネットワーク（ＲＡＮ）ネットワーク要素へのセカンダリユーザープレーンチャネルを確立するための、確立ユニットと、
ネットワークを介してダウンリンクデータを受信し、オフロードされようとするデータストリーム情報に基づいて、オフロードする必要があるダウンリンクデータを、前記セカンダリユーザープレーンチャネルに送信するための、送信ユニットとを備え、前記オフロードされようとするデータストリーム情報は、前記ＵＰＦネットワーク要素に格納されることを特徴とするユーザープレーン機能（Ｕｓｅｒ−Ｐｌａｎｅ Ｆｕｎｃｔｉｏｎ，ＵＰＦ）ネットワーク要素。
【請求項１１】
前記ＵＰＦネットワーク要素は、パケットデータユニット（ＰＤＵ）セッション接続の唯一のＵＰＦネットワーク要素であり、
前記ＵＰＦネットワーク要素は、
前記確立ユニットによってセカンダリ無線アクセスネットワーク（ＲＡＮ）ネットワーク要素へのセカンダリユーザープレーンチャネルを確立する前、セッション管理機能（ＳＭＦ）ネットワーク要素によって送信されたユーザープレーンチャネルを確立するための第１要求メッセージを受信するための、受信ユニットをさらに備え、
前記第１要求メッセージには、第１セカンダリユーザープレーンチャネルの情報およびオフロードされようとするデータストリーム情報が含まれ、前記第１セカンダリユーザープレーンチャネルは、前記ＵＰＦネットワーク要素から前記セカンダリＲＡＮネットワーク要素へのユーザープレーンチャネルであり、
前記確立ユニットは、前記第１セカンダリユーザープレーンチャネルの情報に基づいて、前記ＵＰＦネットワーク要素から前記セカンダリＲＡＮネットワーク要素へのセカンダリユーザープレーンチャネルを確立することを特徴とする請求項１０に記載のユーザープレーン機能（Ｕｓｅｒ−Ｐｌａｎｅ Ｆｕｎｃｔｉｏｎ，ＵＰＦ）ネットワーク要素。
【請求項１２】
前記送信ユニットは、前記ＳＭＦネットワーク要素に要求応答メッセージを送信することを特徴とする請求項１１に記載のユーザープレーン機能（Ｕｓｅｒ−Ｐｌａｎｅ Ｆｕｎｃｔｉｏｎ，ＵＰＦ）ネットワーク要素。
【請求項１３】
前記オフロードされようとするデータストリーム情報は、ストリーム識別子、サービスの品質（ＱｏＳ）情報およびネットワークプロトコル（ＩＰ）５つの情報のうちの少なくとも１つを含むことを特徴とする請求項１１に記載のユーザープレーン機能（Ｕｓｅｒ−Ｐｌａｎｅ Ｆｕｎｃｔｉｏｎ，ＵＰＦ）ネットワーク要素。
【請求項１４】
前記ＵＰＦネットワーク要素は、パケットデータユニット（ＰＤＵ）セッション接続場合のユーザープレーンアンカーデバイスであり、前記ＰＤＵセッション接続の場合、ＩＰアンカーデバイスのＵＰＦネットワーク要素がさらに含まれ、
前記ＵＰＦネットワーク要素は、
セッション管理機能（ＳＭＦ）ネットワーク要素によって送信されたユーザープレーンチャネルを確立するための要求メッセージを受信するための受信ユニットであって、前記要求メッセージには、セカンダリユーザープレーンチャネルの情報およびオフロードされようとするデータストリーム情報が含まれ、前記セカンダリユーザープレーンチャネルは、前記ユーザープレーンアンカーデバイスであるＵＰＦネットワーク要素から前記ＩＰアンカーデバイスであるＵＰＦネットワーク要素へのユーザープレーンチャネルである前記受信ユニットと、
前記セカンダリユーザープレーンチャネルの情報に基づいて、前記ユーザープレーンアンカーデバイスであるＵＰＦネットワーク要素から前記ＩＰアンカーデバイスであるＵＰＦネットワーク要素へのセカンダリユーザープレーンチャネルを確立するための確立ユニットとを備えることを特徴とするユーザープレーン機能（Ｕｓｅｒ−Ｐｌａｎｅ Ｆｕｎｃｔｉｏｎ，ＵＰＦ）ネットワーク要素。
【請求項１５】
プライマリ無線アクセスネットワーク（ＲＡＮ）ネットワーク要素によって送信されたユーザープレーンチャネルを確立するための要求メッセージを受信するための受信ユニットであって、前記要求メッセージにはセカンダリＲＡＮネットワーク要素のチャネル識別子が含まれる前記受信ユニットと、
ユーザープレーン機能（Ｕｓｅｒ−Ｐｌａｎｅ Ｆｕｎｃｔｉｏｎ，ＵＰＦ）ネットワーク要素グループ内の第１ＵＰＦネットワーク要素および第２ＵＰＦネットワーク要素それぞれに前記要求メッセージを送信する送信ユニットと、
前記第１ＵＰＦネットワーク要素および前記第２ＵＰＦネットワーク要素によって送信された要求応答メッセージを受信するための受信ユニットであって、前記要求応答メッセージには、ＵＰＦネットワーク要素と前記セカンダリＲＡＮネットワーク要素の間に確立されたセカンダリユーザープレーンチャネルのチャネル情報が含まれ、前記第１ＵＰＦネットワーク要素によって送信された要求応答メッセージには、前記第１ＵＰＦネットワーク要素と前記セカンダリＲＡＮネットワーク要素の間に確立されたセカンダリユーザープレーンチャネルのチャネル情報が含まれ、前記第２ＵＰＦネットワーク要素によって送信された要求メッセージメッセージには、前記第２ＵＰＦネットワーク要素と前記第１ＵＰＦネットワーク要素の間に確立されたセカンダリユーザープレーンチャネルのチャネル情報が含まれる前記受信ユニットとを備え、
前記送信ユニットは、さらに、前記プライマリＲＡＮネットワーク要素に要求応答メッセージを送信することを特徴とするセッション管理機能（Ｓｅｓｓｉｏｎ  Ｍａｎａｇｅｍｅｎｔ  Ｆｕｎｃｔｉｏｎ，ＳＭＦ）ネットワーク要素。
【請求項１６】
前記第１ＵＰＦネットワーク要素は、パケットデータユニット（ＰＤＵ）セッション接続のＩＰアンカーデバイスであり、前記第２ＵＰＦネットワーク要素は、前記ＰＤＵセッション接続のユーザープレーンアンカーデバイスであることを特徴とする請求項１５に記載のセッション管理機能（Ｓｅｓｓｉｏｎ  Ｍａｎａｇｅｍｅｎｔ  Ｆｕｎｃｔｉｏｎ，ＳＭＦ）ネットワーク要素。
【請求項１７】
ユーザープレーンチャネルを確立するために、セッション管理機能（ＳＭＦ）ネットワーク要素に、要求メッセージを送信するための送信ユニットであって、前記要求メッセージには、セカンダリＲＡＮネットワーク要素のチャネル情報が含まれる前記送信ユニットと、
前記ＳＭＦネットワーク要素によって送信された要求応答メッセージを受信するための受信ユニットであって、前記要求応答メッセージには、ユーザープレーン機能（Ｕｓｅｒ−Ｐｌａｎｅ Ｆｕｎｃｔｉｏｎ，ＵＰＦ）ネットワーク要素グループ内の第１ＵＰＦネットワーク要素と前記セカンダリＲＡＮネットワーク要素の間に確立されたセカンダリユーザープレーンチャネルのチャネル情報が含まれ、前記第１ＵＰＦネットワーク要素は、パケットデータユニット（ＰＤＵ）セッション接続のＩＰアンカーデバイスである前記受信ユニットとを備え、
前記送信ユニットは、さらに、セカンダリＲＡＮネットワーク要素に要求応答メッセージを送信することを特徴とするプライマリＲＡＮネットワーク要素である無線アクセスネットワーク（Ｒａｄｉｏ Ａｃｃｅｓｓ Ｎｅｔｗｏｒｋ， ＲＡＮ）ネットワーク要素。
【請求項１８】
前記要求応答メッセージは、前記第１ＵＰＦネットワーク要素と前記セカンダリＲＡＮネットワーク要素の間に確立されたユーザープレーンチャネルのチャネル情報を含むことを特徴とする請求項１７に記載の無線アクセスネットワーク（Ｒａｄｉｏ Ａｃｃｅｓｓ Ｎｅｔｗｏｒｋ， ＲＡＮ）ネットワーク要素。
【請求項１９】
プロセッサと、メモリとを備え、前記プロセッサ、メモリ両方ともバスで接続されており、
前記プロセッサは、メモリ内のプログラムを読み取って実行するように構成されており、
セカンダリ無線アクセスネットワーク（ＲＡＮ）ネットワーク要素へのセカンダリユーザープレーンチャネルを確立し、
ネットワークを介してダウンリンクデータを受信し、オフロードされようとするデータストリーム情報に基づいて、オフロードする必要があるダウンリンクデータを、前記セカンダリユーザープレーンチャネルに送信し、前記オフロードされようとするデータストリーム情報は、前記ＵＰＦネットワーク要素に格納されることを特徴とするユーザープレーン機能（Ｕｓｅｒ−Ｐｌａｎｅ Ｆｕｎｃｔｉｏｎ，ＵＰＦ）ネットワーク要素。
【請求項２０】
前記ＵＰＦネットワーク要素は、パケットデータユニット（ＰＤＵ）セッション接続の唯一のＵＰＦネットワーク要素であり、
前記プロセッサは、さらに、
セカンダリ無線アクセスネットワーク（ＲＡＮ）ネットワーク要素へのセカンダリユーザープレーンチャネルを確立する前、セッション管理機能（ＳＭＦ）ネットワーク要素によって送信されたユーザープレーンチャネルを確立するための第１要求メッセージを受信し、前記第１要求メッセージには、第１セカンダリユーザープレーンチャネルの情報およびオフロードされようとするデータストリーム情報が含まれ、前記第１セカンダリユーザープレーンチャネルは、前記ＵＰＦネットワーク要素から前記セカンダリＲＡＮネットワーク要素へのユーザープレーンチャネルであり、
前記プロセッサは、
前記第１セカンダリユーザープレーンチャネルの情報に基づいて、前記ＵＰＦネットワーク要素から前記セカンダリＲＡＮネットワーク要素へのセカンダリユーザープレーンチャネルを確立することを特徴とする請求項１９に記載のユーザープレーン機能（Ｕｓｅｒ−Ｐｌａｎｅ Ｆｕｎｃｔｉｏｎ，ＵＰＦ）ネットワーク要素。
【請求項２１】
前記プロセッサは、さらに、
セカンダリＲＡＮネットワーク要素へのセカンダリユーザープレーンチャネルを確立した後、前記ＳＭＦネットワーク要素に要求応答メッセージを送信することを特徴とする請求項２０に記載のユーザープレーン機能（Ｕｓｅｒ−Ｐｌａｎｅ Ｆｕｎｃｔｉｏｎ，ＵＰＦ）ネットワーク要素。
【請求項２２】
前記オフロードされようとするデータストリーム情報は、ストリーム識別子、サービスの品質（ＱｏＳ）情報およびネットワークプロトコル（ＩＰ）５つの情報のうちの少なくとも１つを含むことを特徴とする請求項１９から請求項２１のいずれか１項に記載のユーザープレーン機能（Ｕｓｅｒ−Ｐｌａｎｅ Ｆｕｎｃｔｉｏｎ，ＵＰＦ）ネットワーク要素。
【請求項２３】
ユーザープレーン機能（Ｕｓｅｒ−Ｐｌａｎｅ Ｆｕｎｃｔｉｏｎ，ＵＰＦ）ネットワーク要素であって、
前記ＵＰＦネットワーク要素は、パケットデータユニット（ＰＤＵ）セッション接続場合のユーザープレーンアンカーデバイスであり、前記ＰＤＵセッション接続の場合、ＩＰアンカーデバイスのＵＰＦネットワーク要素がさらに含まれ、
前記ＵＰＦネットワーク要素プロセッサと、メモリとを備え、前記プロセッサ、メモリ両方ともバスで接続されており、
前記プロセッサは、メモリ内のプログラムを読み取って実行するように構成されており、
セッション管理機能（ＳＭＦ）ネットワーク要素によって送信されたユーザープレーンチャネルを確立するための要求メッセージを受信し、前記要求メッセージには、セカンダリユーザープレーンチャネルの情報およびオフロードされようとするデータストリーム情報が含まれ、前記セカンダリユーザープレーンチャネルは、前記ユーザープレーンアンカーデバイスであるＵＰＦネットワーク要素から前記ＩＰアンカーデバイスであるＵＰＦネットワーク要素へのユーザープレーンチャネルであり、
前記セカンダリユーザープレーンチャネルの情報に基づいて、前記ユーザープレーンアンカーデバイスであるＵＰＦネットワーク要素から前記ＩＰアンカーデバイスであるＵＰＦネットワーク要素へのセカンダリユーザープレーンチャネルを確立することを特徴とするユーザープレーン機能（Ｕｓｅｒ−Ｐｌａｎｅ Ｆｕｎｃｔｉｏｎ，ＵＰＦ）ネットワーク要素。
【請求項２４】
プロセッサと、メモリとを備え、前記プロセッサ、メモリ両方ともバスで接続されており、
前記プロセッサは、メモリ内のプログラムを読み取って実行するように構成されており、
プライマリ無線アクセスネットワーク（ＲＡＮ）ネットワーク要素によって送信されたユーザープレーンチャネルを確立するための要求メッセージを受信し、前記要求メッセージにはセカンダリＲＡＮネットワーク要素のチャネル識別子が含まれ、
ユーザープレーン機能（Ｕｓｅｒ−Ｐｌａｎｅ Ｆｕｎｃｔｉｏｎ，ＵＰＦ）ネットワーク要素グループ内の第１ＵＰＦネットワーク要素および第２ＵＰＦネットワーク要素それぞれに前記要求メッセージを送信し、
前記第１ＵＰＦネットワーク要素および前記第２ＵＰＦネットワーク要素によって送信された要求応答メッセージを受信し、前記要求応答メッセージには、ＵＰＦネットワーク要素と前記セカンダリＲＡＮネットワーク要素の間に確立されたセカンダリユーザープレーンチャネルのチャネル情報が含まれ、前記第１ＵＰＦネットワーク要素によって送信された要求応答メッセージには、前記第１ＵＰＦネットワーク要素と前記セカンダリＲＡＮネットワーク要素の間に確立されたセカンダリユーザープレーンチャネルのチャネル情報が含まれ、前記第２ＵＰＦネットワーク要素によって送信された要求メッセージメッセージには、前記第２ＵＰＦネットワーク要素と前記第１ＵＰＦネットワーク要素の間に確立されたセカンダリユーザープレーンチャネルのチャネル情報が含まれ、
前記プライマリＲＡＮネットワーク要素に要求応答メッセージを送信することを特徴とするセッション管理機能（Ｓｅｓｓｉｏｎ  Ｍａｎａｇｅｍｅｎｔ  Ｆｕｎｃｔｉｏｎ，ＳＭＦ）ネットワーク要素。
【請求項２５】
前記第１ＵＰＦネットワーク要素は、パケットデータユニット（ＰＤＵ）セッション接続のＩＰアンカーデバイスであり、前記第２ＵＰＦネットワーク要素は、前記ＰＤＵセッション接続のユーザープレーンアンカーデバイスであることを特徴とする請求項２４に記載のセッション管理機能（Ｓｅｓｓｉｏｎ  Ｍａｎａｇｅｍｅｎｔ  Ｆｕｎｃｔｉｏｎ，ＳＭＦ）ネットワーク要素。
【請求項２６】
プロセッサと、メモリとを備え、前記プロセッサ、メモリ両方ともバスで接続されており、
前記プロセッサは、メモリ内のプログラムを読み取って実行するように構成されており、
ユーザープレーンチャネルを確立するために、セッション管理機能（ＳＭＦ）ネットワーク要素に、要求メッセージを送信し、前記要求メッセージには、セカンダリＲＡＮネットワーク要素のチャネル情報が含まれ、
前記ＳＭＦネットワーク要素によって送信された要求応答メッセージを受信し、前記要求応答メッセージには、ユーザープレーン機能（Ｕｓｅｒ−Ｐｌａｎｅ Ｆｕｎｃｔｉｏｎ，ＵＰＦ）ネットワーク要素グループ内の第１ＵＰＦネットワーク要素と前記セカンダリＲＡＮネットワーク要素の間に確立されたセカンダリユーザープレーンチャネルのチャネル情報が含まれ、前記第１ＵＰＦネットワーク要素は、パケットデータユニット（ＰＤＵ）セッション接続のＩＰアンカーデバイスであり、
セカンダリＲＡＮネットワーク要素に要求応答メッセージを送信することを特徴とするプライマリＲＡＮネットワーク要素である無線アクセスネットワーク（ＲＡＮ）ネットワーク要素。
【請求項２７】
前記要求応答メッセージは、前記第１ＵＰＦネットワーク要素と前記セカンダリＲＡＮネットワーク要素の間に確立されたユーザープレーンチャネルのチャネル情報を含むことを特徴とする請求項２６に記載の無線アクセスネットワーク（ＲＡＮ）ネットワーク要素。
【請求項２８】
請求項１から請求項５のいずれか１項に記載の方法をコンピュータに実行させるように構成されたコンピュータ実行可能命令を格納するコンピュータ可読記憶媒体。
【請求項２９】
請求項６または請求項７に記載の方法をコンピュータに実行させるように構成されたコンピュータ実行可能命令を記憶するコンピュータ可読記憶媒体。
【請求項３０】
請求項８または請求項９に記載の方法をコンピュータに実行させるように構成されたコンピュータ実行可能命令を記憶するコンピュータ可読記憶媒体。
【発明の詳細な説明】
【技術分野】
【０００１】
［関連出願の相互参照］
本出願は、２０１７年３月２４日に中国特許局に提出し、出願番号が２０１７１０１８４８４２.０であり、発明名称が「通信方法およびデバイス」との中国特許出願を基礎とする優先権を主張し、その開示の総てをここに取り込む。
【０００２】
［技術分野］
本発明は、無線通信技術分野に関し、特に、通信方法およびデバイスに関連する。
【背景技術】
【０００３】
基地局の異なるカテゴリが互いに相互運用する異種無線システムでは、各基地局の帯域幅リソースおよびカバレッジエリアは、複数のセルまたは基地局の無線リソースを集約することによってユーザーにサービスを提供するように制限される。これにより、ユーザーのキャパシティ需要とカバレッジ需要を満たすのが容易になり、これは一般にマルチ接続性と呼ばれる。ｌｏｎｇ Ｔｅｒｍ Ｅｖｏｌｕｔｉｏｎ（ＬＴＥ）システムでは、一般的なマルチ接続モードには、キャリアアグリゲーション、Ｃｏｏｒｄｉｎａｔｅｄ Ｍｕｌｔｉ−Ｐｏｉｎｔ（ＣｏＭＰ）送信、およびデュアル接続などが含まれる。
【０００４】
ここで、ＬＴＥシステムのデュアル接続では、データプレーン無線ベアラは、ＭｅＮＢ（Ｍａｓｔｅｒ ｅＮｏｄｅＢ）またはＳｅＮＢ（Ｓｅｃｏｎｄａｒｙ ｅＮｏｄｅＢ）単独でサービスを受けることができ、またはＭｅＮＢとＳｅＮＢの両方によってサービスを受けることができる。ベアラーがＭｅＮＢのみによってサービスされる場合、マスターセルグループ（Ｍａｓｔｅｒ Ｃｅｌｌ Ｇｒｏｕｐ，ＭＣＧ）ベアラ（つまり、ＭｅＮＢによって制御されるサービングセルグループ）と呼ばれる。ベアラがＳｅＮＢのみによってサービスされる場合、セカンダリセルグループ（Ｓｅｃｏｎｄａｒｙ Ｃｅｌｌ Ｇｒｏｕｐ，ＳＣＧ）ベアラ（すなわち、ＳｅＮＢによって制御されるサービングセルグループ）と呼ばれる。そして、ベアラがＭｅＮＢとＳｅＮＢの両方によってサービスされるとき、スプリットベアラと呼ばれてもよい。
【０００５】
スプリットベアラ場合のアーキテクチャでは、ＬＴＥシステムのコアネットワークはベアラの粒度でユーザプレーンデータを管理および送信し、ＭｅＮＢはデータの一部をＳｅＮＢに送信し、ＳｅＮＢはさらにデータを端末に発行する。これによってデータがオフロードされる。５Ｇシステムでは、コアネットワークは、全体のパケットデータユニット（Ｐａｃｋｅｔ Ｄａｔａ ｕｎｉｔ，ＰＤＵ）セッション接続の粒度でユーザープレーンデータを管理および送信する。コアネットワークユーザープレーンノードと無線アクセスネットワーク（Ｒａｄｉｏ Ａｃｃｅｓｓ Ｎｅｔｗｏｒｋ，ＲＡＮ）間のユーザープレーンチャネルは、ベアラの粒度ではなく、ＰＤＵセッション接続の粒度全体で設定されている。したがって、これまでのところ、５Ｇシステムでデータをオフロードする解決策はない。
【発明の概要】
【発明が解決しようとする課題】
【０００６】
本発明の実施形態は、５Ｇシステムでデータをオフロードし、それにより無線リソースの利用率を改善し、システムハンドオーバー遅延を短縮し、ユーザーの経験とシステム性能を改善する通信方法およびデバイスを提供する。
【課題を解決するための手段】
【０００７】
第１の態様によれば、通信方法は、第１ユーザープレーン機能（Ｕｓｅｒ−Ｐｌａｎｅ Ｆｕｎｃｔｉｏｎ，ＵＰＦ）ネットワーク要素は、セカンダリ無線アクセスネットワーク（ＲＡＮ）ネットワーク要素へのセカンダリユーザープレーンチャネルを確立するステップと、前記第１ＵＰＦネットワーク要素は、ネットワークを介してダウンリンクデータを受信し、オフロードされようとするデータストリーム情報に基づいて、オフロードする必要があるダウンリンクデータを、前記セカンダリユーザープレーンチャネルに送信するステップとを備え、前記オフロードされようとするデータストリーム情報は、前記第１ＵＰＦネットワーク要素に格納されている。
【０００８】
第２の態様によれば、ＳＭＦ側の通信方法は、ＳＭＦネットワーク要素は、プライマリＲＡＮネットワーク要素によって送信されたユーザープレーンチャネルを確立するための要求メッセージを受信するステップであって、前記要求メッセージにはセカンダリＲＡＮネットワーク要素のチャネル識別子が含まれる前記受信するステップと、前記ＳＭＦネットワーク要素は、ＵＰＦネットワーク要素グループに前記要求メッセージを送信し、前記ＵＰＦネットワーク要素によって送信された要求応答メッセージを受信するステップであって、前記要求応答メッセージには、ＵＰＦネットワーク要素と前記セカンダリＲＡＮネットワーク要素の間に確立されたセカンダリユーザープレーンチャネルのチャネル情報が含まれる前記受信するステップと、前記ＳＭＦネットワーク要素は、前記プライマリＲＡＮネットワーク要素に前記要求応答メッセージを送信するステップとを備える。
【０００９】
第３の態様によれば、ＲＡＮ側の通信方法は、プライマリＲＡＮネットワーク要素は、ＳＭＦネットワーク要素にユーザープレーンチャネルを確立するための要求メッセージを送信するステップであって、前記要求メッセージにはセカンダリＲＡＮネットワーク要素のチャネル識別子が含まれる前記送信するステップと、前記プライマリＲＡＮネットワーク要素は、前記ＳＭＦネットワーク要素によって送信された要求応答メッセージを受信するステップであって、前記要求応答メッセージには、ＵＰＦネットワーク要素グループと前記セカンダリＲＡＮネットワーク要素の間に確立されたセカンダリユーザープレーンチャネルのチャネル情報が含まれる前記受信するステップと、前記プライマリＲＡＮネットワーク要素は、セカンダリＲＡＮネットワーク要素に前記要求応答メッセージを送信するステップとを備える。
【００１０】
第４の態様によれば、ＵＰＦネットワーク要素は、セカンダリ無線アクセスネットワーク（ＲＡＮ）ネットワーク要素へのセカンダリユーザープレーンチャネルを確立するための、確立ユニットと、ネットワークを介してダウンリンクデータを受信し、オフロードされようとするデータストリーム情報に基づいて、オフロードする必要があるダウンリンクデータを、前記セカンダリユーザープレーンチャネルに送信するための、送信ユニットとを備え、前記オフロードされようとするデータストリーム情報は前記第１ＵＰＦネットワーク要素に格納されている。
【００１１】
第５の態様によれば、ＵＰＦネットワーク要素は、パケットデータユニット（ＰＤＵ）セッション接続場合のユーザープレーンアンカーデバイスであり、前記ＰＤＵセッション接続の場合、ＩＰアンカーデバイスのＵＰＦネットワーク要素がさらに含まれ、前記ＵＰＦネットワーク要素は、セッション管理機能（ＳＭＦ）ネットワーク要素によって送信されたユーザープレーンチャネルを確立するための要求メッセージを受信するための受信ユニットであって、前記要求メッセージには、セカンダリユーザープレーンチャネルの情報およびオフロードされようとするデータストリーム情報が含まれ、前記セカンダリユーザープレーンチャネルは、前記ユーザープレーンアンカーデバイスであるＵＰＦネットワーク要素から前記ＩＰアンカーデバイスであるＵＰＦネットワーク要素へのユーザープレーンチャネルである前記受信ユニットと、前記セカンダリユーザープレーンチャネルの情報に基づいて、前記ユーザープレーンアンカーデバイスであるＵＰＦネットワーク要素から前記ＩＰアンカーデバイスであるＵＰＦネットワーク要素へのセカンダリユーザープレーンチャネルを確立するための確立ユニットとを備える。
【００１２】
第６の態様によれば、ＳＭＦネットワーク要素は、プライマリ無線アクセスネットワーク（ＲＡＮ）ネットワーク要素によって送信されたユーザープレーンチャネルを確立するための要求メッセージを受信するための受信ユニットであって、前記要求メッセージにはセカンダリＲＡＮネットワーク要素のチャネル識別子が含まれる前記受信ユニットと、ユーザープレーン機能（Ｕｓｅｒ−Ｐｌａｎｅ Ｆｕｎｃｔｉｏｎ，ＵＰＦ）ネットワーク要素に前記要求メッセージを送信するための送信ユニットとを備え、前記受信ユニットは、さらに前記ＵＰＦネットワーク要素グループによって送信された要求応答メッセージを受信し、前記要求応答メッセージには、ＵＰＦネットワーク要素と前記セカンダリＲＡＮネットワーク要素の間に確立されたセカンダリユーザープレーンチャネルのチャネル情報が含まれ、前記送信ユニットは、さらに、前記プライマリＲＡＮネットワーク要素に前記要求応答メッセージを送信する。
【００１３】
第７の態様によれば、ＲＡＮネットワーク要素は、ユーザープレーンチャネルを確立するために、セッション管理機能（ＳＭＦ）ネットワーク要素に、要求メッセージを送信するための送信ユニットと、前記要求メッセージにはセカンダリＲＡＮネットワーク要素のチャネル識別子が含まれる前記送信ユニットと、前記ＳＭＦネットワーク要素によって送信された要求応答メッセージを受信するための受信ユニットであって、前記要求応答メッセージには、ＵＰＦネットワーク要素グループと前記セカンダリＲＡＮネットワーク要素の間に確立されたセカンダリユーザープレーンチャネルのチャネル情報が含まれる前記受信ユニットとを備え、前記送信ユニットは、さらに、セカンダリＲＡＮネットワーク要素に前記要求応答メッセージを送信する。
【００１４】
第８の態様によれば、ＵＰＦネットワーク要素は、プロセッサと、メモリとを備え、前記プロセッサは、前記メモリに格納されたプログラムを読み出し、上記第１態様による前記方法を実行する。
【００１５】
第９の態様によれば、ＳＭＦネットワーク要素は、プロセッサと、メモリとを備え、前記プロセッサは、前記メモリに格納されたプログラムを読み出し、上記第２態様による前記方法を実行する。
【００１６】
第１０の態様によれば、ＲＡＮネットワーク要素は、プロセッサと、メモリとを備え、前記プロセッサは、前記メモリに格納されたプログラムを読み出し、上記第３態様による前記方法を実行する。
【００１７】
第１１の態様によれば、コンピュータに上記の第１の態様による方法を実行させるように構成されたコンピュータ実行可能命令を記憶するコンピュータ可読記憶媒体を提供する。
【００１８】
第１２の態様によれば、コンピュータに上記の第２の態様による方法を実行させるように構成されたコンピュータ実行可能命令を記憶するコンピュータ可読記憶媒体を提供する。
【００１９】
第１３の態様によれば、上記第３の態様による方法をコンピュータに実行させるように構成されたコンピュータ実行可能命令を記憶するコンピュータ可読記憶媒体を提供する。
【発明の効果】
【００２０】
本発明の実施形態では、データをオフロードするためのセカンダリユーザープレーンチャネルは、ＵＰＦネットワーク要素を介して確立され、オフロードするためのセカンダリユーザープレーンチャネルは、主に、プライマリＲＡＮネットワーク要素によって送信された要求メッセージ内のセカンダリＲＡＮネットワーク要素の情報に基づいて、セカンダリＲＡＮネットワーク要素を介して、ＵＰＦネットワーク要素との間のセカンダリユーザープレーンチャネルを確立し、ここで、セカンダリＲＡＮネットワーク要素内の基地局は、LTEシステムであってもよく、プライマリＲＡＮネットワーク要素内の基地局は、５Ｇシステムであってもよい。こうして、LTEシステムと５Ｇシステム間のデュアル接続の技術を使用して、線リソースの利用率を向上させ、システムハンドオーバー遅延を短縮し、ユーザーとシステムの性能を改善することができる。
【００２１】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図面の簡単な説明】
【００２２】
【図１】本発明の実施形態による通信方法の概略フローチャートである。
【図２】本発明の実施形態による５Ｇシステムのデュアル接続アーキテクチャの概略図である。
【図３】本発明の実施形態による１つのＵＰＦネットワーク要素を含むシステムにおけるインタラクションの概略図である。
【図４】本発明の実施形態による複数のＵＰＦネットワーク要素を含むシステムにおけるインタラクションの概略図である。
【図５】本発明の実施形態によるＵＰＦネットワーク要素のアーキテクチャの概略図である。
【図６】本発明の実施形態によるＳＭＦネットワーク要素のアーキテクチャの概略図である。
【図７】本発明の実施形態によるＲＡＮネットワーク要素のアーキテクチャの概略図である。
【図８】本発明の別の実施形態によるＵＰＦネットワーク要素の概略構造図である。
【図９】本発明の別の実施形態によるＵＰＦネットワーク要素の概略構造図である。
【図１０】本発明の別の実施形態によるＳＭＦネットワーク要素の概略構造図である。
【図１１】本発明の別の実施形態によるＲＡＮネットワーク要素の概略構造図である。
【発明を実施するための形態】
【００２３】
本発明の実施形態の目的、技術的解決策、および利点をより明らかにするために、図面を参照して本発明を以下でさらに詳細に説明する。以下に説明する実施形態は、本発明の実施形態の全部ではないが一部のみにすぎないことが明らかである。ここでの本発明の実施形態に基づいて、本発明の努力なしに当業者が思いつく他のすべての実施形態は、本発明の範囲に含まれるものとする。
【００２４】
本発明の実施形態は、モバイル通信のグローバルシステム（Ｇｌｏｂａｌ Ｓｙｓｔｅｍ ｏｆ Ｍｏｂｉｌｅ ｃｏｍｍｕｎｉｃａｔｉｏｎ，ＧＳＭ）、符号分割多重アクセス（Ｃｏｄｅ Ｄｉｖｉｓｉｏｎ Ｍｕｌｔｉｐｌｅ Ａｃｃｅｓｓ，ＣＤＭＡ）、広帯域符号分割多重アクセス、（Ｗｉｄｅｂａｎｄ Ｃｏｄｅ Ｄｉｖｉｓｉｏｎ Ｍｕｌｔｉｐｌｅ Ａｃｃｅｓｓ，ＷＣＤＭＡ）、汎用パケット無線サービス（Ｇｅｎｅｒａｌ Ｐａｃｋｅｔ ＲＡｄｉｏ Ｓｅｒｖｉｃｅ，ＧＰＲＳ）、ロングタームエボリューション（ＬＴＥ）、アドバンストロングタームエボリューション（ＬＴＥ−Ａ）、ユニバーサルモバイルテレコミュニケーション （Ｕｎｉｖｅｒｓａｌ Ｍｏｂｉｌｅ Ｔｅｌｅｃｏｍｍｕｎｉｃａｔｉｏｎ Ｓｙｓｔｅｍ，ＵＭＴＳ）、Ｅｖｏｌｖｅｄ ｌｏｎｇ Ｔｅｒｍ Ｅｖｏｌｕｔｉｏｎ（ｅＬＴＥ）、５Ｇ（たとえば、NRシステム）、およびその他のモバイルコミュニケーションシステムなど、さまざまな移動通信ポートに適用できる。
【００２５】
本発明の実施形態において、端末またはユーザ機器（Ｕｓｅｒ Ｅｑｕｉｐｍｅｎｔ，ＵＥ）と呼ばれるものは、音声および／またはデータ接続性をユーザに提供するデバイス、例えばハンドヘルドデバイス、車両デバイスなどであることをさらに理解されたい。たとえば、一般的な端末には、携帯電話、タブレットコンピューター、ノートブックコンピューター、パームコンピューター、モバイルインターネットデバイス（ｍｏｂｉｌｅ ｉｎｔｅｒｎｅｔ ｄｅｖｉｃｅ，ＭＩＤ）、ウェアラブルデバイス（たとえば、スマートウォッチ、スマートリストリング、歩数計など）が含まれる。
【００２６】
上記の説明に基づいて、図１は、本発明の実施形態による通信方法の概略フローチャートを示し、この方法は以下のステップを備える。
【００２７】
ステップ１０１において、第１ＵＰＦネットワーク要素は、セカンダリＲＡＮネットワーク要素へのセカンダリユーザープレーンチャネルを確立する。
【００２８】
ステップ１０２において、前記第１ＵＰＦネットワーク要素は、ネットワークを介してダウンリンクデータを受信し、オフロードされようとするデータストリーム情報に基づいて、オフロードする必要があるダウンリンクデータを、前記セカンダリユーザープレーンチャネルに送信する。前記オフロードされようとするデータストリーム情報は前記第１ＵＰＦネットワーク要素に格納されている。
【００２９】
次世代無線通信システム、例えば、新無線（Ｎｅｗ Ｒａｄｉｏ，ＮＲ）システムでは、ユーザ機器は、ユーザープレーン機能（Ｕｓｅｒ−Ｐｌａｎｅ ＦｕｎｃｔｉｏｎＵＰＦ）ネットワーク要素とのデータネットワーク（Ｕｓｅｒ Ｐｌａｎｅ Ｆｕｎｃｔｉｏｎ，ＤＮ）ネットワーク要素パケットデータユニット（Ｄａｔａ Ｎｅｔｗｏｒｋ，ＰＤＵ）セッションを確立することに留意されたい。ＰＤＵセッションは、端末とDNネットワーク要素間のＰＤＵ接続サービスを提供する。
【００３０】
図２に示すシステムは、セッション管理機能（Ｓｅｓｓｉｏｎ  Ｍａｎａｇｅｍｅｎｔ  Ｆｕｎｃｔｉｏｎ，ＳＭＦ）ネットワーク要素、無線アクセスネットワーク(Ｒａｄｉｏ Ａｃｃｅｓｓ Ｎｅｔｗｏｒｋ，ＲＡＮ)ネットワーク要素（アクセスネットワーク(Ａｃｃｅｓｓ Ｎｅｔｗｏｒｋ，ＡＮ)とも呼ばれる)ネットワーク要素と呼ばれる）、ＵＰＦネットワーク要素などのネットワーク要素を含むことができる。ここで、ＲＡＮネットワーク要素は、基地局および無線ネットワーク制御装置を含むことができ、一般に、移動体通信ネットワークに無線でアクセスするために端末を制御するように機能する。ＳＭＦネットワーク要素は、セッション管理、端末のインターネットプロトコル（ＩＰ）アドレスの割り当てと管理、ＵＰＦネットワーク要素のアンカー機能の割り当てと選択、ＵＰＦネットワーク要素とユーザープレーン経路の（再）選択などを担当する。ＵＰＦネットワーク要素は、ユーザープレーン機能デバイスであり、パケットのルーティングと転送、リーガルリスニング、およびダウンリンクパケットのバッファリング、ウンリンクデータパケット通知メッセージのトリガー、ダウンリンクパケット通知メッセージなどの機能を担当する。ＵＰＦネットワーク要素が端末のダウンリンクデータパケットを受信するか、ＵＰＦネットワーク要素または別のコアネットワークデバイスが制御シグナリングプロセスをトリガーすると、ＵＰＦネットワーク要素は前記ダウンリンクパケットデータまたは制御シグナリングを含むＰＤＵセッションのＰＤＵセッション識別子を決定することができる。受信した前記端末のダウンリンクデータパケットに従ってＰＤＵセッション識別子を決定すると、ＵＰＦネットワーク要素は、ＰＤＵセッション識別子を含むデータ通知メッセージをＳＭＦネットワーク要素に送信して、ダウンリンクデータパケットを端末に送信するために、端末をページングするように、ネットワークデバイス（たとえば、ＳＭＦネットワーク要素など）に通知する。
【００３１】
別の言い方をすれば、図１に示す通信方法では、データはプライマリおよびセカンダリＲＡＮネットワーク要素を介してオフロードされ、図２に示すように、端末はプライマリＲＡＮネットワーク要素にアクセスする。ネットワーク要素はコントロールプレーンメッセージを介して端末とプレーンし、プライマリＲＡＮネットワーク要素はデータストリームの一部またはすべてを選択してセカンダリＲＡＮネットワーク要素に移行できるため、プライマリＲＡＮは、セカンダリＲＡＮネットワーク要素とＵＰＦネットワーク要素との間のセカンダリユーザープレーンチャネルを確立することを、ＵＰＦネットワーク要素に対して要求し、こうして、データのオフロードを完成する。言い換えると、一部のデータストリームをセカンダリＲＡＮネットワーク要素にオフロードすることを決定すると、プライマリＲＡＮネットワーク要素は、オフロードしようとするデータストリーム情報をＳＭＦネットワーク要素に送信する。オフロードのデータストリーム情報は、ストリーム識別情報、または、サービスの品質（Ｑｕａｌｉｔｙ ｏｆ Ｓｅｒｖｉｃｅ，ＱｏＳ）情報、または、ＩＰ（ネットワークプロトコル）５つの情報などである。その後、ＳＭＦネットワーク要素は、オフロードされるデータストリーム情報をＵＰＦネットワーク要素にさらに送信し、データストリームの新しいユーザープレーンチャネルを確立するようＵＰＦネットワーク要素に要求する。こうして、ＵＰＦネットワーク要素は、受信したダウンリンクデータを異なるユーザープレーンチャネルにオフロードできるようにする。
【００３２】
議論されている５Ｇネットワークアーキテクチャには、多くの可能なアーキテクチャがあり得る。例えば、ＲＡＮネットワーク要素とDNネットワーク要素との間に１個のＵＰＦネットワーク要素が含まれるか、または、ＲＡＮネットワーク要素とDNネットワーク要素との間に２個のＵＰＦネットワーク要素または２個以上のＵＰＦネットワーク要素が含まれる。したがって、これらの２つのアーキテクチャについては、本発明の実施形態で説明。
【００３３】
シナリオ１
図３は、ＰＤＵセッション接続にＵＰＦネットワーク要素のみが存在するアーキテクチャを示し、このアーキテクチャでは、特定のオフロードプロセスは以下の通りである。
ステップ２０１において、ＵＥは、プライマリＲＡＮネットワーク要素を介してＵＰＦネットワーク要素へのＰＤＵセッション接続を確立する。
【００３４】
ステップ２０２において、プライマリＲＡＮネットワーク要素は、セカンダリＲＡＮネットワーク要素を選択し、当該ＰＤＵセッション接続場合の一部のデータストリームをセカンダリＲＡＮネットワーク要素にオフロードすることを決定する。
【００３５】
ステップ２０３において、プライマリＲＡＮネットワーク要素は、ＳＭＦネットワーク要素にユーザープレーンチャネルを確立するための要求メッセージを送信し、当該要求メッセージは、ＵＰＦネットワーク要素からセカンダリＲＡＮネットワーク要素へのユーザープレーンチャネルを確立することを要求する。要求メッセージには、セカンダリＲＡＮネットワーク要素側のチャネル情報が含まれる。チャネル情報は、セカンダリＲＡＮネットワーク要素のアドレス、およびオフロードしようとするデータストリーム情報を指す。データストリーム情報は、データストリームID、ＱｏＳ情報、またはＩＰ５倍（ｑｕｉｎｔｕｐｌｅ）の情報などである。
【００３６】
ステップ２０４において、ＳＭＦネットワーク要素は、ＵＰＦネットワーク要素にユーザープレーンの確立要求を開始し、オフロードするデータストリームのために、セカンダリＲＡＮネットワーク要素への新しいユーザープレーンチャネルを確立するように、ＵＰＦネットワーク要素に対して要求する。ユーザープレーンの確立要求メッセージには、セカンダリＲＡＮネットワーク要素側のチャネル情報（セカンダリユーザープレーンチャネル情報）、およびオフロードしようとするデータストリーム情報が含まれる。ここで、セカンダリＲＡＮネットワーク要素側のチャネル情報（セカンダリユーザープレーンチャネル情報）は、ＵＰＦネットワーク要素のアドレスおよびセカンダリＲＡＮのアドレスを含むことができる。
【００３７】
ステップ２０５において、ＵＰＦネットワーク要素は、オフロードしようとするデータストリーム情報を格納し、セカンダリＲＡＮネットワーク要素への新しいセカンダリユーザープレーンチャネルを確立する。ＵＰＦネットワーク要素が端末のダウンリンクデータを受信した場合、ＵＰＦネットワーク要素は、格納されたオフロードしようとするデータストリーム情報に基づいて、当該ＰＤＵ セッション内のオフロードしようとするデータストリーム情報によって示されるダウンリンクデータを選択して、当該セカンダリユーザープレーンチャネルにマッピングして伝送する。
【００３８】
ステップ２０６において、ＵＰＦネットワーク要素は、ＳＭＦネットワーク要素に、セカンダリユーザープレーンチャネルの確立要求応答メッセージを返す。
【００３９】
ステップ２０７において、ＳＭＦネットワーク要素は、プライマリＲＡＮネットワーク要素に応答メッセージを返し、メッセージには、ＵＰＦネットワーク要素からセカンダリＲＡＮネットワーク要素へのユーザープレーンチャネルの識別情報、すなわち、セカンダリユーザープレーンチャネルのＵＰＦアドレスおよびセカンダリＲＡＮのアドレスが含まれる。
【００４０】
ステップ２０８において、プライマリＲＡＮネットワーク要素は、セカンダリＲＡＮネットワーク要素にＵＰＦネットワーク要素側のチャネル識別情報を送信する。
【００４１】
シナリオ２
図４は、ＰＤＵセッション接続場合、２つのＵＰＦネットワーク要素があるアーキテクチャを示しており、このアーキテクチャでは、ダウンリンクデータをオフロードする特定のプロセスは以下の通りである。
【００４２】
ステップ３０１において、端末は、ＰＤＵセッション接続を確立し、当該セッション接続に２つのＵＰＦネットワーク要素（ＵＰＦ１およびＵＰＦ２）が存在する。ＵＰＦ２ネットワーク要素はＩＰアンカーデバイスであり、ＵＰＦ１ネットワーク要素は、中間ユーザープレーンアンカーデバイスである。
【００４３】
ステップ３０２において、プライマリＲＡＮネットワーク要素は、セカンダリＲＡＮネットワーク要素を選択し、当該ＰＤＵセッションの一部のデータストリームをセカンダリＲＡＮネットワーク要素にオフロードすることを決定する。
【００４４】
ステップ３０３において、プライマリＲＡＮネットワーク要素は、ＳＭＦネットワーク要素に要求メッセージを送信し、ＵＰＦネットワーク要素からセカンダリＲＡＮネットワーク要素へのユーザープレーンチャネルの確立を要求する。要求メッセージには、セカンダリＲＡＮネットワーク要素側のチャネル情報、およびオフロードしようとするデータストリーム情報が含まれる。データストリーム情報は、データストリームＩＤ、ＱｏＳ情報またはＩＰ５倍（ｑｕｉｎｔｕｐｌｅ）の情報などである。
【００４５】
ステップ３０４ａにおいて、ＳＭＦネットワーク要素は、ＵＰＦ１ネットワーク要素にユーザープレーンチャネルを確立するための第１要求メッセージを送信し、オフロードするデータストリームのために、ＵＰＦ１からセカンダリＲＡＮネットワーク要素へのセカンダリユーザープレーンチャネルを確立するように、ＵＰＦ１ネットワーク要素に対して要求する。当該第１要求メッセージには、セカンダリＲＡＮネットワーク要素側のチャネル情報（第１セカンダリユーザープレーンチャネルの情報）、すなわち、セカンダリＲＡＮネットワーク要素のアドレスが含まれる。
【００４６】
ステップ３０５ａにおいて、ＵＰＦ１ネットワーク要素は、ＵＰＦ１からセカンダリＲＡＮネットワーク要素へのセカンダリユーザープレーンチャネルを確立し、ＳＭＦネットワーク要素へ要求応答メッセージを返す。
【００４７】
ステップ３０４ｂにおいて、ＳＭＦネットワーク要素は、ＵＰＦ２ネットワーク要素にユーザープレーンチャネルを確立するための第２要求メッセージを送信し、オフロードするデータストリームのために、ＵＰＦ１ネットワーク要素からＵＰＦ２ネットワーク要素へのユーザープレーンチャネルを確立するように、ＵＰＦ２ネットワーク要素に対して要求する。ＳＭＦネットワーク要素は、オフロードしようとするデータストリーム情報をＵＰＦ２ネットワーク要素に送信して格納し、ＵＰＦ２ネットワーク要素が端末のダウンリンクデータを受信した場合、ＵＰＦ２ネットワーク要素は、格納されたオフロードしようとするデータストリーム情報に基づいて、当該ＰＤＵ セッションのオフロードしようとするデータストリーム情報によって示されるダウンリンクデータを選択して当該ユーザープレーンチャネルにマッピングして伝送する。
【００４８】
ステップ３０５ｂにおいて、ＵＰＦ２は、ＵＰＦ１ネットワーク要素からＵＰＦ２ネットワーク要素へのセカンダリユーザープレーンチャネルを確立した後、ＵＰＦ２ネットワーク要素は、ＳＭＦネットワーク要素へ応答メッセージを返す。
【００４９】
ステップ３０６において、ＳＭＦネットワーク要素は、プライマリＲＡＮネットワーク要素へ、ＵＰＦ２とＵＰＦ１によって送信された応答メッセージを返す。当該応答メッセージには、ＵＰＦ１ネットワーク要素からセカンダリＲＡＮネットワーク要素へのユーザープレーンチャネルのチャネル情報、およびＵＰＦ２ネットワーク要素からＵＰＦ１ネットワーク要素へのセカンダリユーザープレーンチャネルのチャネル情報が含まれる。
【００５０】
ステップ３０７において、プライマリＲＡＮネットワーク要素は、セカンダリＲＡＮネットワーク要素にＵＰＦ１とＵＰＦ２側のチャネル情報を送信する。
【００５１】
要するに、ＵＰＦネットワーク要素１つのみであれば、セカンダリユーザープレーンチャネル情報は、当該ＵＰＦネットワーク要素から前記セカンダリＲＡＮネットワーク要素へのユーザープレーンチャネルに関する情報である。複数のＵＰＦネットワーク要素の場合、セカンダリユーザープレーンチャネル情報には、ＩＰアンカーデバイスであるＵＰＦネットワーク要素から中間ユーザープレーンアンカーデバイスであるＵＰＦネットワーク要素へのユーザープレーンチャネル、及び、中間ユーザープレーンアンカーデバイスであるＵＰＦネットワーク要素からセカンダリＲＡＮへのユーザープレーンチャネルに関する情報が含まれる。
【００５２】
同じ発明思想に基づいて、本発明の実施形態は、ＵＰＦネットワーク要素（以下、第１ＵＰＦネットワーク要素と呼ぶ）をさらに提供する。当該ＵＰＦネットワーク要素は上記第１ＵＰＦ側の方法実を実行する。図５に示すように、ＵＰＦネットワーク要素、確立ユニット４０１と、送信ユニット４０２とを備える。ここで、前記確立ユニット４０１は、ＲＡＮネットワーク要素へのセカンダリユーザープレーンチャネルを確立する。前記送信ユニット４０２は、ネットワークを介してダウンリンクデータを受信し、オフロードされようとするデータストリーム情報に基づいて、オフロードする必要があるダウンリンクデータを、前記セカンダリユーザープレーンチャネルに送信し、前記オフロードされようとするデータストリーム情報は前記第１ＵＰＦネットワーク要素に格納されている。
【００５３】
ＳＭＦネットワーク要素によって送信されたユーザープレーンチャネルを確立するための要求メッセージを受信するための受信ユニット４０３をさらに備える。前記要求メッセージには、セカンダリユーザープレーンチャネルの確立情報およびオフロードされようとするデータストリーム情報が含まれる。前記確立ユニット４０１は、具体的に、前記セカンダリユーザープレーンチャネル識別子に基づいて、前記第１ＵＰＦネットワーク要素から前記セカンダリＲＡＮネットワーク要素へのセカンダリユーザープレーンチャネルを確立する。
【００５４】
１つの実施形態では、前記受信ユニットは、前記確立ユニットによってセカンダリＲＡＮネットワーク要素へのセカンダリユーザープレーンチャネルを確立する前、ＳＭＦネットワーク要素によって送信されたユーザープレーンチャネルを確立するための第１要求メッセージを受信し、前記第１要求メッセージには、第１セカンダリユーザープレーンチャネルの情報およびオフロードされようとするデータストリーム情報が含まれ、前記第１セカンダリユーザープレーンチャネルは、前記第１ＵＰＦネットワーク要素から前記セカンダリＲＡＮネットワーク要素へのユーザープレーンチャネルである。前記確立ユニットは、具体的に、前記第１セカンダリユーザープレーンチャネルの情報に基づいて、前記第１ＵＰＦネットワーク要素から前記セカンダリＲＡＮネットワーク要素へのセカンダリユーザープレーンチャネルを確立する。
【００５５】
さらに、前記送信ユニット４０２は、また、前記ＳＭＦネットワーク要素に要求応答メッセージを送信する。
【００５６】
さらに、前記確立ユニット４０１は、具体的に、Ｎ個の第２ＵＰＦネットワーク要素を介して、セカンダリＲＡＮネットワーク要素へのセカンダリユーザープレーンチャネルを確立する。前記第２ＵＰＦネットワーク要素は、パケットデータユニット（ＰＤＵ）セッション内のユーザープレーンアンカーデバイスであり、Nは１より大きいか等しい。
【００５７】
さらに、前記オフロードされようとするデータストリーム情報は、ストリーム識別子、サービスの品質（ＱｏＳ）情報およびネットワークプロトコル（ＩＰ）５つの情報のうちの少なくとも１つを含む。
【００５８】
同じ発明思想に基づいて、本発明の実施形態は、ＵＰＦネットワーク要素（以下、第２ＵＰＦネットワーク要素と呼ぶ）をさらに提供する。当該ＵＰＦネットワーク要素は上記第２ＵＰＦ側の方法を実行する。当該第２ＵＰＦネットワーク要素は、ＰＤＵセッション接続場合のユーザープレーンアンカーデバイスである。前記ＰＤＵセッション接続の場合、ＩＰアンカーデバイスのＵＰＦネットワーク要素がさらに含まれる。当該ユーザープレーンアンカーデバイスである第２ＵＰＦネットワーク要素は、ＳＭＦネットワーク要素によって送信されたユーザープレーンチャネルを確立するための要求メッセージを受信するための受信ユニットと、前記セカンダリユーザープレーンチャネルの情報に基づいて、前記ユーザープレーンアンカーデバイスであるＵＰＦネットワーク要素から前記ＩＰアンカーデバイスであるＵＰＦネットワーク要素へのセカンダリユーザープレーンチャネルを確立するための確立ユニットと、を備える。前記要求メッセージには、セカンダリユーザープレーンチャネルの情報およびオフロードされようとするデータストリーム情報が含まれ、前記セカンダリユーザープレーンチャネルは、前記ユーザープレーンアンカーデバイスであるＵＰＦネットワーク要素から前記ＩＰアンカーデバイスであるＵＰＦネットワーク要素へのユーザープレーンチャネルである。
【００５９】
同じ発明思想に基づいて、本発明の実施形態では、ＳＭＦネットワーク要素をさらに提供する。当該ＳＭＦネットワーク要素は上記ＳＭＦ側の方法を実行し、図６に示すように、受信ユニット５０１と、送信ユニット５０２とを備える。前記受信ユニット５０１は、プライマリ無線アクセスネットワーク（ＲＡＮ）ネットワーク要素によって送信されたユーザープレーンチャネルを確立するための要求メッセージを受信し、前記要求メッセージにはセカンダリＲＡＮネットワーク要素のチャネル識別子が含まれる。前記送信ユニット５０２は、ユーザープレーン機能（Ｕｓｅｒ−Ｐｌａｎｅ Ｆｕｎｃｔｉｏｎ，ＵＰＦ）ネットワーク要素に前記要求メッセージを送信するは、前記受信ユニット５０１は、前記ＵＰＦネットワーク要素によって送信された要求応答メッセージを受信する。前記要求応答メッセージには、ＵＰＦネットワーク要素グループと前記セカンダリＲＡＮネットワーク要素の間に確立されたセカンダリユーザープレーンチャネルのチャネル情報が含まれる。前記送信ユニット５０２は、さらに、前記プライマリＲＡＮネットワーク要素に前記要求応答メッセージを送信する。
【００６０】
前記ＵＰＦネットワーク要素グループは第１ＵＰＦネットワーク要素を含む。前記要求応答メッセージには、前記第１ＵＰＦネットワーク要素と前記セカンダリＲＡＮネットワーク要素の間に確立されたユーザープレーンチャネルのチャネル情報が含まれる。前記第１ＵＰＦネットワーク要素は、前記ＰＤＵセッション接続のＩＰアンカーデバイスである。
【００６１】
さらに、前記ＵＰＦネットワーク要素グループは、第１ＵＰＦネットワーク要素およびN個の第２ＵＰＦネットワーク要素を含む。前記要求応答メッセージには、前記第１ＵＰＦネットワーク要素とN個の前記第２ＵＰＦネットワーク要素の間に確立されたセカンダリユーザープレーンチャネルのチャネル情報、およびセカンダリＲＡＮネットワーク要素ルーティングへの距離が一番近い第２ＵＰＦネットワーク要素と前記セカンダリＲＡＮネットワーク要素の間に確立されたセカンダリユーザープレーンチャネルのチャネル情報が含まれる。ここで、Nは１より大きいか等しい。前記第２ＵＰＦネットワーク要素は、前記ＰＤＵセッション内のユーザープレーンアンカーデバイスである。
【００６２】
同じ発明思想に基づいて、本発明の実施形態では、ＲＡＮネットワーク要素をさらに提供する。当該ＲＡＮネットワーク要素は上記ＲＡＮ側の方法を実行し、図７に示すように、送信ユニット６０１と、受信ユニット６０２とを備える。前記送信ユニット６０１は、ＳＭＦネットワーク要素にユーザープレーンチャネルを確立するための要求メッセージを送信する。前記要求メッセージにはセカンダリＲＡＮネットワーク要素のチャネル識別子が含まれる。前記受信ユニット６０２，は、前記ＳＭＦネットワーク要素によって送信された要求応答メッセージを受信し、前記要求応答メッセージには、ＵＰＦネットワーク要素グループと前記セカンダリＲＡＮネットワーク要素の間に確立されたセカンダリユーザープレーンチャネルのチャネル情報が含まれる。また、前記送信ユニット６０１は、セカンダリＲＡＮネットワーク要素に前記要求応答メッセージを送信する。
【００６３】
前記ＵＰＦネットワーク要素グループは第１ＵＰＦネットワーク要素を含む。前記要求応答メッセージには、第１ＵＰＦネットワーク要素と前記セカンダリＲＡＮネットワーク要素の間に確立されたユーザープレーンチャネルのチャネル情報が含まれる。前記第１ＵＰＦネットワーク要素は、前記ＰＤＵセッション接続のＩＰアンカーデバイスである。
【００６４】
さらに、前記ＵＰＦネットワーク要素グループは、第１ＵＰＦネットワーク要素およびN個の第２ＵＰＦネットワーク要素を含む。前記要求応答メッセージには、前記第１ＵＰＦネットワーク要素とN個の前記第２ＵＰＦネットワーク要素の間に確立されたセカンダリユーザープレーンチャネルのチャネル情報、およびセカンダリＲＡＮネットワーク要素ルーティングへの距離が一番近い第２ＵＰＦネットワーク要素と前記セカンダリＲＡＮネットワーク要素の間に確立されたセカンダリユーザープレーンチャネルのチャネル情報が含まれる。ここで、Ｎは１より大きいか等しい。前記第２ＵＰＦネットワーク要素は、前記ＰＤＵセッション内のユーザープレーンアンカーデバイスである。
【００６５】
同様な発明思想に基づいて、本発明の実施形態では、ＵＰＦネットワーク要素をさらに提供する。当該ＵＰＦネットワーク要素は前記実施例による第１ＵＰＦネットワーク要素側の機能を具現することができる。図８に示すように、当該端末は、ネットワークインターフェース８１０と、当該ネットワークインターフェースに接続する少なくともプロセッサ８００とを備える。選択的に、プロセッサ８００は、ＣＰＵ、ＡＳＩＣ、ＦＰＧＡまたはＣＰＬＤである。
【００６６】
ここで、プロセッサ８００は、メモリ８２０に格納されたプログラムを読み出して、以下のことを実行する。セカンダリ無線アクセスネットワーク（ＲＡＮ）ネットワーク要素へのセカンダリユーザープレーンチャネルを確立し、ネットワークを介してダウンリンクデータを受信し、オフロードされようとするデータストリーム情報に基づいて、オフロードする必要があるダウンリンクデータを、前記セカンダリユーザープレーンチャネルに送信し、前記オフロードされようとするデータストリーム情報は、前記ＵＰＦネットワーク要素に格納される。その実施形態の詳細については、上記の実施形態の関連する説明を参照することができるので、ここではその繰り返しの説明は省略する。
【００６７】
ここで、図８において、バスアーキテクチャは、いずれ数の相互接続するバス及びブリッジを備える。具体的に、プロセッサ８００によって表される１つまたは複数のプロセッサ、およびメモリ８２０によって表される１つまたは複数のメモリを含む様々な回路の接続によって構成される。バスアーキテクチャは、外部設備、電圧レギュレーター及び電力管理回路等の他の回路を接続することもできる。これらは、当該分野の周知技術であるため、本発明において、詳細に説明しない。バスインターフェース８３０はインターフェースを提供する。ネットワークインターフェース８１０は、伝送媒体を介して様々な他のデバイスと通信するためのユニットであるいくつかの要素、例えば送信機および受信機であり得る。プロセッサ８００は、バスアーキテクチャの管理と通常のプロセスの実行を担当し、タイミング、周辺インターフェース、電圧調整、電力管理、およびその他の制御機能を含むさまざまな機能をさらに提供できる。メモリ８２０は、プロセッサ８００が動作する際に利用するデータを記憶することができる。
【００６８】
同様な発明思想に基づいて、本発明の実施形態では、ＵＰＦネットワーク要素をさらに提供する。当該ＵＰＦネットワーク要素は、上記実施形態による第２ＵＰＦネットワーク要素側の機能を具現することができる。図９に示すように、当該端末は、ネットワークインターフェース９１０と、当該ネットワークインターフェースに接続する少なくともプロセッサ９００を備える。選択的に、プロセッサ９００は、CPU、ASIC、FPGAまたCPLDである。
【００６９】
ここで、プロセッサ９００は、メモリ９２０に格納されたプログラムを読み出して、以下のことを実行する。ＳＭＦネットワーク要素によって送信されたユーザープレーンチャネルを確立するための要求メッセージを受信し、前記要求メッセージには、セカンダリユーザープレーンチャネルの情報およびオフロードされようとするデータストリーム情報が含まれ、前記セカンダリユーザープレーンチャネルは、前記ユーザープレーンアンカーデバイスであるＵＰＦネットワーク要素から前記ＩＰアンカーデバイスであるＵＰＦネットワーク要素へのユーザープレーンチャネルであり、前記セカンダリユーザープレーンチャネルの情報に基づいて、前記ユーザープレーンアンカーデバイスであるＵＰＦネットワーク要素から前記ＩＰアンカーデバイスであるＵＰＦネットワーク要素へのセカンダリユーザープレーンチャネルを確立する。その実施形態の詳細については、上記の実施形態の関連する説明を参照することができるので、ここではその繰り返しの説明は省略する。
【００７０】
ここで、図９において、バスアーキテクチャは、いずれ数の相互接続するバス及びブリッジを備える。具体的に、プロセッサ９００によって表される１つまたは複数のプロセッサ、およびメモリ９２０によって表される１つまたは複数のメモリを含む様々な回路の接続によって構成される。バスアーキテクチャは、外部設備、電圧レギュレーター及び電力管理回路等の他の回路を接続することもできる。これらは、当該分野の周知技術であるため、本発明において、詳細に説明しない。バスインターフェース９３０はインターフェースを提供する。ネットワークインターフェース９１０は、伝送媒体を介して様々な他のデバイスと通信するためのユニットであるいくつかの要素、例えば送信機および受信機であり得る。プロセッサ９００は、バスアーキテクチャの管理と通常のプロセスの実行を担当し、タイミング、周辺インターフェース、電圧調整、電力管理、およびその他の制御機能を含むさまざまな機能をさらに提供できる。メモリ９２０は、プロセッサ９００が動作する際に利用するデータを記憶することができる。
【００７１】
同様な発明思想に基づいて、本発明の実施形態では、ＳＭＦネットワーク要素をさらに提供する。当該ＳＭＦネットワーク要素は上記実施形態によるＳＭＦネットワーク要素側の機能を具現することができる。図１０に示すように、当該端末は、ネットワークインターフェース１０１０と、当該ネットワークインターフェースに接続する少なくともプロセッサ１０００とを備える。選択的に、プロセッサ１０００は、CPU、ASIC、FPGAまたCPLDである。
【００７２】
ここで、プロセッサ１０００は、メモリ１０２０に格納されたプログラムを読み出して、以下のことを実行する。プライマリＲＡＮネットワーク要素によって送信されたユーザープレーンチャネルを確立するための要求メッセージを受信し、前記要求メッセージにはセカンダリＲＡＮネットワーク要素のチャネル識別子が含まれ、ＵＰＦネットワーク要素グループ内の第１ＵＰＦネットワーク要素および第２ＵＰＦネットワーク要素それぞれに前記要求メッセージを送信し、前記第１ＵＰＦネットワーク要素および前記第２ＵＰＦネットワーク要素によって送信された要求応答メッセージを受信し、前記要求応答メッセージには、ＵＰＦネットワーク要素と前記セカンダリＲＡＮネットワーク要素の間に確立されたセカンダリユーザープレーンチャネルのチャネル情報が含まれ、前記第１ＵＰＦネットワーク要素によって送信された要求応答メッセージには、前記第１ＵＰＦネットワーク要素と前記セカンダリＲＡＮネットワーク要素の間に確立されたセカンダリユーザープレーンチャネルのチャネル情報が含まれ、前記第２ＵＰＦネットワーク要素によって送信された要求メッセージメッセージには、前記第２ＵＰＦネットワーク要素と前記第１ＵＰＦネットワーク要素の間に確立されたセカンダリユーザープレーンチャネルのチャネル情報が含まれ、前記プライマリＲＡＮネットワーク要素に要求応答メッセージを送信する。その実施形態の詳細については、上記の実施形態の関連する説明を参照することができるので、ここではその繰り返しの説明は省略する。
【００７３】
ここで、図１０において、バスアーキテクチャは、いずれ数の相互接続するバス及びブリッジを備える。具体的に、プロセッサ１０００によって表される１つまたは複数のプロセッサ、およびメモリ１０２０によって表される１つまたは複数のメモリを含む様々な回路の接続によって構成される。バスアーキテクチャは、外部設備、電圧レギュレーター及び電力管理回路等の他の回路を接続することもできる。これらは、当該分野の周知技術であるため、本発明において、詳細に説明しない。バスインターフェース１０３０はインターフェースを提供する。ネットワークインターフェース１０１０は、伝送媒体を介して様々な他のデバイスと通信するためのユニットであるいくつかの要素、例えば送信機および受信機であり得る。プロセッサ１０００は、バスアーキテクチャの管理と通常のプロセスの実行を担当し、タイミング、周辺インターフェース、電圧調整、電力管理、およびその他の制御機能を含むさまざまな機能をさらに提供できる。メモリ１０２０は、プロセッサ１０００が動作する際に利用するデータを記憶することができる。
【００７４】
同様な発明思想に基づいて、本発明の実施形態では、ＲＡＮネットワーク要素をさらに提供する。当該ＲＡＮネットワーク要素は上記実施形態によるプライマリＲＡＮネットワーク要素側の機能を具現することができる。図１１に示すように、当該端末は、ネットワークインターフェース１１１０と、当該ネットワークインターフェースに接続する少なくともプロセッサ１１００とを備える。選択的に、プロセッサ１１００は、ＣＰＵ、ＡＳＩＣ、ＦＰＧＡまたＣＰＬＤである。
【００７５】
ここで、プロセッサ１１００は、メモリ１１２０に格納されたプログラムを読み出して、以下のことを実行する。ＳＭＦネットワーク要素にユーザープレーンチャネルを確立するための要求メッセージを送信する。前記要求メッセージには、セカンダリＲＡＮネットワーク要素のチャネル情報が含まれ、前記ＳＭＦネットワーク要素によって送信された要求応答メッセージを受信し、前記要求応答メッセージには、ＵＰＦネットワーク要素グループ内の第１ＵＰＦネットワーク要素と前記セカンダリＲＡＮネットワーク要素の間に確立されたセカンダリユーザープレーンチャネルのチャネル情報が含まれ、前記第１ＵＰＦネットワーク要素はＰＤＵセッション接続のＩＰアンカーデバイスである。セカンダリＲＡＮネットワーク要素に要求応答メッセージを送信する。その実施形態の詳細については、上記の実施形態の関連する説明を参照することができるので、ここではその繰り返しの説明は省略する。
【００７６】
ここで、図１１において、バスアーキテクチャは、いずれ数の相互接続するバス及びブリッジを備える。具体的に、プロセッサ１１００によって表される１つまたは複数のプロセッサ、およびメモリ１１２０によって表される１つまたは複数のメモリを含む様々な回路の接続によって構成される。バスアーキテクチャは、外部設備、電圧レギュレーター及び電力管理回路等の他の回路を接続することもできる。これらは、当該分野の周知技術であるため、本発明において、詳細に説明しない。バスインターフェース１１３０はインターフェースを提供する。ネットワークインターフェース１１１０は、伝送媒体を介して様々な他のデバイスと通信するためのユニットであるいくつかの要素、例えば送信機および受信機であり得る。プロセッサ１１００は、バスアーキテクチャの管理と通常のプロセスの実行を担当し、タイミング、周辺インターフェース、電圧調整、電力管理、およびその他の制御機能を含むさまざまな機能をさらに提供できる。メモリ１１２０は、プロセッサ１１００が動作する際に利用するデータを記憶することができる。
【００７７】
本発明の実施形態は、本発明の実施形態に従って第１ＵＰＦネットワーク要素側でコンピュータに機能を実行させるように構成されたコンピュータ実行可能命令を記憶するコンピュータ可読記憶媒体をさらに提供する。
【００７８】
本発明の実施形態は、本発明の実施形態に従って第２ＵＰＦネットワーク要素側でコンピュータに機能を実行させるように構成されたコンピュータ実行可能命令を記憶するコンピュータ可読記憶媒体をさらに提供する。
【００７９】
本発明の実施形態は、本発明の実施形態に従って、コンピュータにＳＭＦネットワーク要素側の機能を実行させるように構成されたコンピュータ実行可能命令を記憶するコンピュータ可読記憶媒体をさらに提供する。
【００８０】
本発明の実施形態は、本発明の実施形態に従って、コンピュータにプライマリＲＡＮネットワーク要素側で機能を実行させるように構成されたコンピュータ実行可能命令を記憶するコンピュータ可読記憶媒体をさらに提供する。
【００８１】
要約すると、本発明の実施形態データをオフロードするためのセカンダリユーザープレーンチャネルは、ＵＰＦネットワーク要素を介して確立され、オフロードするためのセカンダリユーザープレーンチャネルは、主に、プライマリＲＡＮネットワーク要素によって送信された要求メッセージ内のセカンダリＲＡＮネットワーク要素の情報に基づいて、セカンダリＲＡＮネットワーク要素を介して、ＵＰＦネットワーク要素との間のセカンダリユーザープレーンチャネルを確立し、ここで、セカンダリＲＡＮネットワーク要素内の基地局は、ＬＴＥシステムであってもよく、プライマリＲＡＮネットワーク要素内の基地局は、５Ｇシステムであってもよい。こうして、LTEシステムと５Ｇシステム間のデュアル接続の技術を使用して、線リソースの利用率を向上させ、システムハンドオーバー遅延を短縮し、ユーザーとシステムの性能を改善することができる。
【００８２】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶メディア（ディスク記憶装置と光学記憶装置等を含むがそれとは限らない）において実施する。
【００８３】
以上は本発明の実施形態の方法および装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【００８４】
これらのコンピュータプログラム指令は又、コンピュータ或いは他のプログラム可能なデータ処理装置を特定の方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【００８５】
これらコンピュータプログラム指令はさらに、コンピュータ或いは他のプログラム可能なデータ処理装置設備に実施もできる。コンピュータプログラム指令が実施されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【００８６】
上述した実施形態に記述された技術的な解決手段を改造し、或いはその中の一部の技術要素を置換することもできる。そのような、改造と置換は本発明の各実施形態の技術の範囲から逸脱するとは見なされない。
【００８７】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【００８８】
４０１  確立ユニット
４０２  送信ユニット
４０３  受信ユニット
５０１  受信ユニット
５０２  送信ユニット
６０１  送信ユニット
６０２  受信ユニット
【図１】
2020516135.tif 000003
【図２】
2020516135.tif 000004
【図３】
2020516135.tif 000005
【図４】
2020516135.tif 000006
【図５】
2020516135.tif 000007
【図６】
2020516135.tif 000008
【図７】
2020516135.tif 000009
【図８】
2020516135.tif 000010
【図９】
2020516135.tif 000011
【図１０】
2020516135.tif 000012
【図１１】
2020516135.tif 000013
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
第１ユーザープレーン機能（Ｕｓｅｒ−Ｐｌａｎｅ Ｆｕｎｃｔｉｏｎ，ＵＰＦ）ネットワーク要素は、セカンダリ無線アクセスネットワーク（ＲＡＮ）ネットワーク要素へのセカンダリユーザープレーンチャネルを確立するステップと、
前記第１ＵＰＦネットワーク要素は、ネットワークを介してダウンリンクデータを受信し、オフロードされようとするデータストリーム情報に基づいて、オフロードする必要があるダウンリンクデータを、前記セカンダリユーザープレーンチャネルに送信するステップとを備え、
前記オフロードされようとするデータストリーム情報は前記第１ＵＰＦネットワーク要素に格納されていることを特徴とする通信方法。
【請求項２】
前記第１ＵＰＦネットワーク要素は、パケットデータユニット（ＰＤＵ）セッション接続の唯一のＵＰＦネットワーク要素であり、
前記第１ＵＰＦネットワーク要素が、セカンダリ無線アクセスネットワーク（ＲＡＮ）ネットワーク要素へのセカンダリユーザープレーンチャネルを確立する前、
前記第１ＵＰＦネットワーク要素は、セッション管理機能（ＳＭＦ）ネットワーク要素によって送信されたユーザープレーンチャネルを確立するための第１要求メッセージを受信し、前記第１要求メッセージには、第１セカンダリユーザープレーンチャネルの情報およびオフロードされようとするデータストリーム情報が含まれ、前記第１セカンダリユーザープレーンチャネルは、前記第１ＵＰＦネットワーク要素から前記セカンダリＲＡＮネットワーク要素へのユーザープレーンチャネルであり、
前記第１ＵＰＦネットワーク要素がセカンダリＲＡＮネットワーク要素へのセカンダリユーザープレーンチャネルを確立する場合、
前記第１ＵＰＦネットワーク要素は、前記第１セカンダリユーザープレーンチャネルの情報に基づいて、前記第１ＵＰＦネットワーク要素から前記セカンダリＲＡＮネットワーク要素へのセカンダリユーザープレーンチャネルを確立することを特徴とする請求項１に記載の通信方法。
【請求項３】
前記第１ＵＰＦネットワーク要素は、ＰＤＵセッション接続のＩＰアンカーデバイスであり、前記ＰＤＵセッション接続には第２ＵＰＦネットワーク要素がさらに含まれ、前記第２ＵＰＦネットワーク要素は、前記ＰＤＵセッション接続のユーザープレーンアンカーデバイスであり、
前記方法では、
前記第２ＵＰＦネットワーク要素は、ＳＭＦネットワーク要素からのユーザープレーンチャネルを確立するための第２要求メッセージを受信し、前記第２要求メッセージには、第２セカンダリユーザープレーンチャネルの情報および前記オフロードされようとするデータストリーム情報が含まれ、前記第２セカンダリユーザープレーンチャネルは、前記第１ＵＰＦネットワーク要素から前記第２ＵＰＦネットワーク要素へのユーザープレーンチャネルであり、
前記第２ＵＰＦネットワーク要素は、前記第２セカンダリユーザープレーンチャネルの情報に基づいて、前記第１ＵＰＦネットワーク要素から前記第２ＵＰＦネットワーク要素へのセカンダリユーザープレーンチャネルを確立し、
前記第１ＵＰＦネットワーク要素がセカンダリＲＡＮネットワーク要素へのセカンダリユーザープレーンチャネルを確立した後、
前記第１ＵＰＦネットワーク要素は、前記ＳＭＦネットワーク要素に要求応答メッセージを送信することを特徴とする請求項２に記載の通信方法。
【請求項４】
前記オフロードされようとするデータストリーム情報は、ストリーム識別子、サービスの品質（ＱｏＳ）情報およびネットワークプロトコル（ＩＰ）５つの情報のうちの少なくとも１つを含むことを特徴とする請求項１から請求項３のいずれか１項に記載の通信方法。
【請求項５】
セッション管理機能（ＳＭＦ）ネットワーク要素は、プライマリ無線アクセスネットワーク（ＲＡＮ）ネットワーク要素によって送信されたユーザープレーンチャネルを確立するための要求メッセージを受信するステップであって、前記要求メッセージにはセカンダリＲＡＮネットワーク要素のチャネル識別子が含まれる前記受信するステップと、
前記ＳＭＦネットワーク要素は、ユーザープレーン機能（Ｕｓｅｒ−Ｐｌａｎｅ Ｆｕｎｃｔｉｏｎ，ＵＰＦ）ネットワーク要素グループ内の第１ＵＰＦネットワーク要素および第２ＵＰＦネットワーク要素それぞれに前記要求メッセージを送信し、前記第１ＵＰＦネットワーク要素および前記第２ＵＰＦネットワーク要素によって送信された要求応答メッセージを受信するステップであって、前記第１ＵＰＦネットワーク要素によって送信された要求応答メッセージには、前記第１ＵＰＦネットワーク要素と前記セカンダリＲＡＮネットワーク要素の間に確立されたセカンダリユーザープレーンチャネルのチャネル情報が含まれ、前記第２ＵＰＦネットワーク要素によって送信された要求メッセージメッセージには、前記第２ＵＰＦネットワーク要素と前記第１ＵＰＦネットワーク要素の間に確立されたセカンダリユーザープレーンチャネルのチャネル情報が含まれる前記受信するステップと、
前記ＳＭＦネットワーク要素は、前記プライマリＲＡＮネットワーク要素に要求応答メッセージを送信するステップとを備え、
前記第１ＵＰＦネットワーク要素は、パケットデータユニット（ＰＤＵ）セッション接続のＩＰアンカーデバイスであり、前記第２ＵＰＦネットワーク要素は、前記ＰＤＵセッション接続のユーザープレーンアンカーデバイスであることを特徴とする通信方法。
【請求項６】
プライマリ無線アクセスネットワーク（ＲＡＮ）ネットワーク要素は、ユーザープレーンチャネルを確立するために、セッション管理機能（ＳＭＦ）ネットワーク要素に、要求メッセージを送信し、前記要求メッセージには、セカンダリＲＡＮネットワーク要素のチャネル情報が含まれ、
前記プライマリＲＡＮネットワーク要素は、前記ＳＭＦネットワーク要素によって送信された要求応答メッセージを受信し、前記要求応答メッセージには、ＵＰＦネットワーク要素グループ内の第１ＵＰＦネットワーク要素と前記セカンダリＲＡＮネットワーク要素の間に確立されたセカンダリユーザープレーンチャネルのチャネル情報が含まれ、前記第１ＵＰＦネットワーク要素は、パケットデータユニット（ＰＤＵ）セッション接続のＩＰアンカーデバイスであり、
前記プライマリＲＡＮネットワーク要素は、セカンダリＲＡＮネットワーク要素に要求応答メッセージを送信することを特徴とする通信方法。
【請求項７】
前記要求応答メッセージは、前記第１ＵＰＦネットワーク要素と前記セカンダリＲＡＮネットワーク要素の間に確立されたユーザープレーンチャネルのチャネル情報を含むことを特徴とする請求項６に記載の通信方法。
【請求項８】
セカンダリ無線アクセスネットワーク（ＲＡＮ）ネットワーク要素へのセカンダリユーザープレーンチャネルを確立するための、確立ユニットと、
ネットワークを介してダウンリンクデータを受信し、オフロードされようとするデータストリーム情報に基づいて、オフロードする必要があるダウンリンクデータを、前記セカンダリユーザープレーンチャネルに送信するための、送信ユニットとを備え、前記オフロードされようとするデータストリーム情報は、前記ＵＰＦネットワーク要素に格納されることを特徴とするユーザープレーン機能（Ｕｓｅｒ−Ｐｌａｎｅ Ｆｕｎｃｔｉｏｎ，ＵＰＦ）ネットワーク要素。
【請求項９】
前記ＵＰＦネットワーク要素は、パケットデータユニット（ＰＤＵ）セッション接続の唯一のＵＰＦネットワーク要素であり、
前記ＵＰＦネットワーク要素は、
前記確立ユニットによってセカンダリ無線アクセスネットワーク（ＲＡＮ）ネットワーク要素へのセカンダリユーザープレーンチャネルを確立する前、セッション管理機能（ＳＭＦ）ネットワーク要素によって送信されたユーザープレーンチャネルを確立するための第１要求メッセージを受信するための、受信ユニットをさらに備え、
前記第１要求メッセージには、第１セカンダリユーザープレーンチャネルの情報およびオフロードされようとするデータストリーム情報が含まれ、前記第１セカンダリユーザープレーンチャネルは、前記ＵＰＦネットワーク要素から前記セカンダリＲＡＮネットワーク要素へのユーザープレーンチャネルであり、
前記確立ユニットは、前記第１セカンダリユーザープレーンチャネルの情報に基づいて、前記ＵＰＦネットワーク要素から前記セカンダリＲＡＮネットワーク要素へのセカンダリユーザープレーンチャネルを確立し、
前記送信ユニットは、前記ＳＭＦネットワーク要素に要求応答メッセージを送信することを特徴とする請求項８に記載のユーザープレーン機能（Ｕｓｅｒ−Ｐｌａｎｅ Ｆｕｎｃｔｉｏｎ，ＵＰＦ）ネットワーク要素。
【請求項１０】
前記オフロードされようとするデータストリーム情報は、ストリーム識別子、サービスの品質（ＱｏＳ）情報およびネットワークプロトコル（ＩＰ）５つの情報のうちの少なくとも１つを含むことを特徴とする請求項９に記載のユーザープレーン機能（Ｕｓｅｒ−Ｐｌａｎｅ Ｆｕｎｃｔｉｏｎ，ＵＰＦ）ネットワーク要素。
【請求項１１】
前記ＵＰＦネットワーク要素は、パケットデータユニット（ＰＤＵ）セッション接続場合のユーザープレーンアンカーデバイスであり、前記ＰＤＵセッション接続の場合、ＩＰアンカーデバイスのＵＰＦネットワーク要素がさらに含まれ、
前記ＵＰＦネットワーク要素は、
セッション管理機能（ＳＭＦ）ネットワーク要素によって送信されたユーザープレーンチャネルを確立するための要求メッセージを受信するための受信ユニットであって、前記要求メッセージには、セカンダリユーザープレーンチャネルの情報およびオフロードされようとするデータストリーム情報が含まれ、前記セカンダリユーザープレーンチャネルは、前記ユーザープレーンアンカーデバイスであるＵＰＦネットワーク要素から前記ＩＰアンカーデバイスであるＵＰＦネットワーク要素へのユーザープレーンチャネルである前記受信ユニットと、
前記セカンダリユーザープレーンチャネルの情報に基づいて、前記ユーザープレーンアンカーデバイスであるＵＰＦネットワーク要素から前記ＩＰアンカーデバイスであるＵＰＦネットワーク要素へのセカンダリユーザープレーンチャネルを確立するための確立ユニットとを備えることを特徴とするユーザープレーン機能（Ｕｓｅｒ−Ｐｌａｎｅ Ｆｕｎｃｔｉｏｎ，ＵＰＦ）ネットワーク要素。
【請求項１２】
プライマリ無線アクセスネットワーク（ＲＡＮ）ネットワーク要素によって送信されたユーザープレーンチャネルを確立するための要求メッセージを受信するための受信ユニットであって、前記要求メッセージにはセカンダリＲＡＮネットワーク要素のチャネル識別子が含まれる前記受信ユニットと、
ユーザープレーン機能（Ｕｓｅｒ−Ｐｌａｎｅ Ｆｕｎｃｔｉｏｎ，ＵＰＦ）ネットワーク要素グループ内の第１ＵＰＦネットワーク要素および第２ＵＰＦネットワーク要素それぞれに前記要求メッセージを送信する送信ユニットと、
前記第１ＵＰＦネットワーク要素および前記第２ＵＰＦネットワーク要素によって送信された要求応答メッセージを受信するための受信ユニットであって、前記要求応答メッセージには、ＵＰＦネットワーク要素と前記セカンダリＲＡＮネットワーク要素の間に確立されたセカンダリユーザープレーンチャネルのチャネル情報が含まれ、前記第１ＵＰＦネットワーク要素によって送信された要求応答メッセージには、前記第１ＵＰＦネットワーク要素と前記セカンダリＲＡＮネットワーク要素の間に確立されたセカンダリユーザープレーンチャネルのチャネル情報が含まれ、前記第２ＵＰＦネットワーク要素によって送信された要求メッセージメッセージには、前記第２ＵＰＦネットワーク要素と前記第１ＵＰＦネットワーク要素の間に確立されたセカンダリユーザープレーンチャネルのチャネル情報が含まれる前記受信ユニットとを備え、
前記送信ユニットは、さらに、前記プライマリＲＡＮネットワーク要素に要求応答メッセージを送信し、
前記第１ＵＰＦネットワーク要素は、パケットデータユニット（ＰＤＵ）セッション接続のＩＰアンカーデバイスであり、前記第２ＵＰＦネットワーク要素は、前記ＰＤＵセッション接続のユーザープレーンアンカーデバイスであることを特徴とするセッション管理機能（Ｓｅｓｓｉｏｎ  Ｍａｎａｇｅｍｅｎｔ  Ｆｕｎｃｔｉｏｎ，ＳＭＦ）ネットワーク要素。
【請求項１３】
ユーザープレーンチャネルを確立するために、セッション管理機能（ＳＭＦ）ネットワーク要素に、要求メッセージを送信するための送信ユニットであって、前記要求メッセージには、セカンダリＲＡＮネットワーク要素のチャネル情報が含まれる前記送信ユニットと、
前記ＳＭＦネットワーク要素によって送信された要求応答メッセージを受信するための受信ユニットであって、前記要求応答メッセージには、ユーザープレーン機能（Ｕｓｅｒ−Ｐｌａｎｅ Ｆｕｎｃｔｉｏｎ，ＵＰＦ）ネットワーク要素グループ内の第１ＵＰＦネットワーク要素と前記セカンダリＲＡＮネットワーク要素の間に確立されたセカンダリユーザープレーンチャネルのチャネル情報が含まれ、前記第１ＵＰＦネットワーク要素は、パケットデータユニット（ＰＤＵ）セッション接続のＩＰアンカーデバイスである前記受信ユニットとを備え、
前記送信ユニットは、さらに、セカンダリＲＡＮネットワーク要素に要求応答メッセージを送信することを特徴とするプライマリＲＡＮネットワーク要素である無線アクセスネットワーク（Ｒａｄｉｏ Ａｃｃｅｓｓ Ｎｅｔｗｏｒｋ， ＲＡＮ）ネットワーク要素。
【請求項１４】
前記要求応答メッセージは、前記第１ＵＰＦネットワーク要素と前記セカンダリＲＡＮネットワーク要素の間に確立されたユーザープレーンチャネルのチャネル情報を含むことを特徴とする請求項１３に記載の無線アクセスネットワーク（Ｒａｄｉｏ Ａｃｃｅｓｓ Ｎｅｔｗｏｒｋ， ＲＡＮ）ネットワーク要素。
【請求項１５】
請求項１から請求項７のいずれか１項に記載の方法をコンピュータに実行させるように構成されたコンピュータ実行可能命令を格納するコンピュータ可読記憶媒体。
【国際調査報告】
2020516135.tif 000014
2020516135.tif 000015
2020516135.tif 000016
2020516135.tif 000017